(57)【要約】本発明の１つの目的は、移動体通信ネットワーク・エンティティの第１のネットワーク・エンティティと称されるネットワーク・エンティティをサポートするための第１の加入データと称される加入データを記憶する、前記移動体通信ネットワークの第１のデータベース・エンティティと称されるデータベース・エンティティに記憶された加入データにアクセスする方法であって、前記方法は、  −  前記移動体通信ネットワークの第２のネットワーク・エンティティと称されるネットワーク・エンティティをサポートするための第２の加入データと称される加入データを記憶する、前記移動体通信ネットワークの第２のデータベース・エンティティと称されるデータベース・エンティティが、前記第１の加入データの少なくとも一部にアクセスするために前記第１のデータベース・エンティティと通信するステップと、  −  アプリケーション・サーバが前記第２のデータベース・エンティティを介して前記第１の加入データの少なくとも一部にアクセスするために前記第２のデータベース・エンティティと通信するステップと  を有する。
2009519648.tif 000002
【特許請求の範囲】
【請求項１】
移動体通信ネットワーク・エンティティの第１のネットワーク・エンティティと称されるネットワーク・エンティティをサポートするための第１の加入データと称される加入データを記憶する、前記移動体通信ネットワークの第１のデータベース・エンティティと称されるデータベース・エンティティに記憶された加入データにアクセスする方法であって、
前記移動体通信ネットワークの第２のネットワーク・エンティティと称されるネットワーク・エンティティをサポートするための第２の加入データと称される加入データを記憶する、前記移動体通信ネットワークの第２のデータベース・エンティティと称されるデータベース・エンティティが、前記第１の加入データの少なくとも一部にアクセスするために前記第１のデータベース・エンティティと通信するステップと、
アプリケーション・サーバが前記第２のデータベース・エンティティを介して前記第１の加入データの少なくとも一部にアクセスするために前記第２のデータベース・エンティティと通信するステップと
を有する方法。
【請求項２】
前記第１のネットワーク・エンティティはＣＳドメイン・エンティティに対応し、
前記第２のネットワーク・エンティティはＩＭＳサブシステム・エンティティに対応し、
前記第１のデータベース・エンティティは、ＣＳドメインによって必要とされるＨＳＳのＨＬＲ機能のサブセットに対応し、
前記第２のデータベース・エンティティは、ホーム加入者サーバのＩＭＳ機能に対応し、
前記アプリケーション・サーバはＩＭＳアプリケーション・サーバに対応する、
請求項１に記載の方法。
【請求項３】
前記第１のネットワーク・エンティティはＰＳドメイン・エンティティに対応し、
前記第２のネットワーク・エンティティはＩＭＳサブシステム・エンティティに対応し、
前記第１のデータベース・エンティティは、ＰＳドメインによって必要とされるＨＳＳのＨＬＲ機能のサブセットに対応し、
前記第２のデータベース・エンティティはＨＳＳのＩＭＳ機能に対応し、
前記アプリケーション・サーバはＩＭＳアプリケーション・サーバに対応する、
請求項１に記載の方法。
【請求項４】
前記第１のネットワーク・エンティティは、無線アクセス技術と相互作用するために必要なネットワーク・エンティティに対応し、
前記第２のネットワーク・エンティティはＩＭＳサブシステム・エンティティに対応し、
前記第１のデータベース・エンティティは、無線アクセス技術と相互作用するために必要な、ＨＳＳのＨＬＲ機能のサブセットに対応し、
前記第２のデータベース・エンティティはＨＳＳのＩＭＳ機能に対応し、
前記アプリケーション・サーバはＩＭＳアプリケーション・サーバに対応する、
請求項１に記載の方法。
【請求項５】
前記第１の加入データの少なくとも一部が呼制御サービス加入データを含み、前記アプリケーション・サーバが、前記呼制御サービス加入データに基づいて前記ＩＭＳサブシステム内の同等のＣＳサービスをサポートするために前記第２のデータベース・エンティティと通信する、請求項２に記載の方法。
【請求項６】
前記第１の加入データの少なくとも一部がセッション管理サービス加入データの少なくとも一部を含み、前記アプリケーション・サーバが、前記セッション管理サービス加入データに基づいて前記ＩＭＳサブシステム内の専用サービスをサポートするために前記第２のデータベース・エンティティと通信する、請求項３に記載の方法。
【請求項７】
前記第１の加入データの少なくとも一部が、相互作用するサービス加入データの少なくとも一部を含み、前記アプリケーション・サーバは、前記相互作用するサービス加入データに基づいて前記ＩＭＳサブシステム内の専用サービスをサポートするために前記第２のデータベース・エンティティと通信する、請求項４に記載の方法。
【請求項８】
前記第１の加入データの少なくとも一部が、前記第２の加入データ内に個別に再投入しないことに関心のある加入データを含み、前記アプリケーション・サーバが、前記第２の加入データ内に個別に再投入しないことに関心のある前記第１の加入データの少なくとも一部を含む加入データに基づいてＩＭＳサービスをサポートするために前記第２のデータベース・エンティティと通信する、請求項１乃至７のいずれか１項に記載の方法。
【請求項９】
前記第２のデータベース・エンティティが、前記第１のデータベース・エンティティに記憶されている前記第１の加入データの少なくとも一部と統一されている前記第１の加入データの少なくとも一部が前記第２のデータベース・エンティティに確実に記憶されるようにするために、前記第１のデータベース・エンティティと通信する、請求項１乃至８のいずれか１項に記載の方法。
【請求項１０】
前記第１の加入データの少なくとも一部が、前記第２のデータベース・エンティティに透過なデータに対応する、請求項１乃至９のいずれか１項に記載の方法。
【請求項１１】
前記アプリケーション・サーバが、前記加入データの前記少なくとも一部のためのリポジトリとして前記第２のデータベース・エンティティを使用する、請求項１乃至１０のいずれか１項に記載の方法。
【請求項１２】
前記第１の加入データの前記少なくとも一部を前記第２の加入データにマッピングするステップを有する、請求項１乃至１１のいずれか１項に記載の方法。
【請求項１３】
前記第２のデータベース・エンティティと前記アプリケーション・サーバとの間の通信の前記ステップが、前記第２のデータベース・エンティティと前記アプリケーション・サーバとの間のインターフェース上でデータ処理プロシージャを使用するステップを含む、
請求項１乃至１２のいずれか１項に記載の方法。
【請求項１４】
前記データ処理プロシージャが、前記アプリケーション・サーバが前記第２のデータベース・エンティティからデータをダウンロードできるようにするデータ読取りプロシージャを含む、
請求項１３に記載の方法。
【請求項１５】
前記データ処理プロシージャが、前記アプリケーション・サーバが前記第２のデータベース・エンティティ内のデータを更新できるようにするデータ更新プロシージャを含む、
請求項１３に記載の方法。
【請求項１６】
前記データの更新が、データの追加、データの変更およびデータの除去を有するグループのうちの少なくとも１つの動作を有する、
請求項１５に記載の方法。
【請求項１７】
前記第２のデータベース・エンティティと前記アプリケーション・サーバとの間の通信の前記ステップが、前記第２のデータベース・エンティティと前記アプリケーション・サーバとの間のインターフェース上で加入／通知プロシージャを使用するステップを含む、
請求項１乃至１６のいずれか１項に記載の方法。
【請求項１８】
請求項１乃至１７のいずれか１項に記載の方法を実行するための手段を有するアプリケーション・サーバ。
【請求項１９】
移動体通信ネットワークの第１のエンティティと称されるエンティティをサポートするための第１の加入データと称される加入データを記憶する第１のデータベース・エンティティと称されるデータベース・エンティティに記憶された第１の加入データと称される加入データの少なくとも一部に第２のデータベース・エンティティを介してアクセスするために、前記移動体通信ネットワークの第２のエンティティと称されるエンティティをサポートするための第２の加入データと称される加入データを記憶する、前記第２のデータベース・エンティティと称されるデータベース・エンティティと通信する手段
を有する前記移動体通信ネットワークのためのアプリケーション・サーバ。
【請求項２０】
請求項１乃至１７のいずれか１項に記載の方法を実行するための手段を有するデータベース・エンティティ。
【請求項２１】
移動体通信ネットワークの第２のネットワーク・エンティティと称されるネットワーク・エンティティをサポートするための第２の加入データと称される加入データを記憶する、第２のデータベース・エンティティと称されるデータベース・エンティティであって、
第１の加入データの少なくとも一部にアクセスするために、前記移動体通信ネットワークの第１のネットワーク・エンティティと称されるネットワーク・エンティティをサポートするための前記第１の加入データと称される加入データを記憶する、第１のデータベース・エンティティと称されるデータベース・エンティティと通信する手段と、
前記第２のデータベース・エンティティを介して前記第１の加入データの前記少なくとも一部にアクセスするためにアプリケーション・サーバと通信する手段と
を有する第２のデータベース・エンティティ。
【請求項２２】
移動体通信ネットワークの第１のネットワーク・エンティティと称されるネットワーク・エンティティをサポートするための第１の加入データと称される加入データを記憶する第１のデータベース・エンティティと称されるデータベース・エンティティであって、
前記第１の加入データの少なくとも一部にアクセスするために、前記移動体通信ネットワークの第２のネットワーク・エンティティと称されるネットワーク・エンティティをサポートするための第２の加入データと称される加入データを記憶する、第２のデータベース・エンティティと称されるデータベース・エンティティと通信する手段
を有する第１のデータベース・エンティティ。
【発明の詳細な説明】
【技術分野】
【０００１】
本発明は概ね移動体通信ネットワークに関する。
【背景技術】
【０００２】
概して、移動体通信ネットワークは標準化に従う。したがって、そのようなネットワークのより詳しい説明は、対応する標準化団体、例えば、３ＧＰＰ（３ｒｄ  Ｇｅｎｅｒａｔｉｏｎ  Ｐａｒｔｎｅｒｓｈｉｐ  Ｐｒｏｊｅｃｔ）などによって公表される対応する規格に記載されている。
【０００３】
簡単に想起されることであるが、特に技術仕様３ＧＰＰ  ＴＳ  ２３．００２に明記されているように、そのようなネットワークのアーキテクチャは論理的にアクセス・ネットワーク（ＡＮ）およびコア・ネットワーク（ＣＮ）に分割され、コア・ネットワークのアーキテクチャは論理的に、回線交換（ＣＳ）ドメイン、パケット交換（ＰＳ）ドメインおよびＩＰ（インターネット・プロトコル）マルチメディア・サブシステム（ＩＭＳ）など、種々のドメインおよびサブシステムに分割される。
【０００４】
ＩＭＳは、特に、３ＧＰＰによって公表された技術仕様３ＧＰＰ  ＴＳ  ２３．２２８で定義されている。この技術仕様で定義されているように、ＩＰマルチメディア・サービスをサポートするためのアーキテクチャは、ＩＰ接続アクセス・ネットワーク（ＩＰ−ＣＡＮ）およびＩＰマルチメディアＣＮサブシステム（ＩＭＳ）に分割される。ＩＭＳサービスをサポートするためのアクセス技術の例は、ＲＡＮがＧＥＲＡＮ（またはより一般的には２．５世代すなわち２．５Ｇの無線アクセス技術）および／またはＵＴＲＡＮ（またはより一般的には第３世代すなわち３Ｇの無線アクセス技術）に対応するＧＰＲＳ  ＣＮに対応する。ＩＭＳサービスをサポートするためのアクセス技術の他の例、例えば、ＷＬＡＮ（無線ローカル・エリア・ネットワーク）などが当然可能である。
【０００５】
これも想起されることであるが、特に技術仕様３ＧＰＰ  ＴＳ  ２３．００２に明記されているように、ＣＮは、事業者の種々のドメインおよびサブシステムの呼制御およびセッション管理エンティティをサポートするための加入関連の情報を収めたデータベース・エンティティであるホーム加入者サーバ（ＨＳＳ）を含む。３ＧＰＰ  ＴＳ  ２３．００２から取り出された図１は、ＨＳＳの種々の機能とコア・ネットワークの種々のドメインおよびサブシステムの種々のエンティティ間の通信のためのインターフェースを想起している。ＨＳＳは、ＩＭＳサブシステム・エンティティにサポートを提供し、前記サポートのための加入データを保持するＩＭＳ機能、ならびにＣＳドメイン・エンティティ、ＰＳドメイン・エンティティ、およびＷＬＡＮと相互作用するために必要な３ＧＰＰ  ＡＡＡサーバと呼ばれるエンティティにサポートを提供し、前記サポートのための加入データを保持するＨＬＲ（ホーム・ロケーション・レジスタ）を有する。ＨＳＳは、種々のＩＭＳアプリケーション・サーバにデータ・リポジトリを提供することができる。やはり図１で想起されているように、ＩＭＳアプリケーション・サーバは、ＩＭＳサブシステム内のアプリケーション・サービスをサポートするために、「Ｓｈ」インターフェースと呼ばれるインターフェースを介してそのアプリケーションに関係のある加入データを取り出す。
【０００６】
そのような意味合いで、本発明は、以下の例で説明されるように、単純化すべきいくつかの問題が発生する可能性があることを認識している。
【発明の開示】
【発明が解決しようとする課題】
【０００７】
３ＧＰＰ  ＴＳ  ２３．２２８に明記されているように、ＩＭＳベースのネットワークをサポートするためにＣＳドメインをデプロイすることは必要ない。言い換えれば、ＩＭＳサブシステムに関する最終目的は、ＣＳドメインを廃棄すること、特に２Ｇ／３Ｇ  ＣＳサービス（特に音声サービスなど）を廃棄すること、および専用のＩＭＳアプリケーション（特にＩＭＳ音声アプリケーションなど）を介して専用のアプリケーション・サーバ（特にＩＭＳ音声アプリケーション・サーバなど）でそれらをエミュレートすることである。
【０００８】
この意味合いで、本発明は、特にＩＭＳサービスをサポートしないアクセス技術を有する既存のインフラストラクチャにＩＭＳサービスをサポートするアクセス技術が徐々に導入されているという事実のために問題が発生する可能性があることを認識している。言い換えれば、ＩＭＳサービスをサポートするアクセス技術の適用範囲は部分的なものにすぎず、これは、今後も長期にわたってそのままであろう。
【０００９】
より詳細に言えば、端末（または移動局）が、ＩＭＳ音声サービスをサポートするセルから、特にＣＳドメイン内でのみ音声サービスをサポートする２Ｇセルなどのセルに移ったとき、またはその反対のときに問題が発生する可能性がある。本発明によって認識される問題の１つは、レガシーＣＳ呼制御とＩＭＳ音声アプリケーションとの間の音声呼サービスの統一性が現在は保証されないことである。言い換えれば、本発明によって認識される１つの問題は、ＣＳドメインで必要とされるＨＬＲ機能のサブセット内にある加入者データとＩＭＳ音声アプリケーション内にある加入者データとの間の統一性が現在は保証されていないことである。さらに言い換えれば、本発明は、２Ｇ  ＣＳサービスなどのレガシー・サービス、特に音声サービスに関して、２Ｇ環境およびＩＭＳ環境で異なるタイプのサービスが定義されているという事実のために、現在は統一性が不足していることを認識している。
【００１０】
本発明は、特に、ＣＳ呼制御サービスが、サービス関連のデータをＣＳ／ＰＳ  ＣＮデータベース・エンティティであるＨＬＲ（ホーム・ロケーション・レジスタ）から取り出すＣＳネットワーク・エンティティ、すなわち、ＭＳＣ（移動交換センタ）によってサポートされ、ＩＭＳアプリケーション・サービスが、サービス関連のデータをＩＭＳ固有のデータベース・エンティティであるＨＳＳ（ホーム加入者サーバ）から取り出すことができるＩＭＳエンティティ、すなわちＡＳ（アプリケーション・サーバ）によってサポートされるという事実のためにそのような問題が発生する可能性があることをさらに認識している。
【００１１】
また、本発明は、ＰＳドメイン内のセッション管理サービスと専用ＩＭＳアプリケーションとの間にデータ統一性の不足という類似した問題が存在する可能性があることも認識している。
【００１２】
また、本発明は、ＷＬＡＮ（またはより一般的には無線アクセス技術）相互作用サービスと専用ＩＭＳアプリケーションとの間にデータ統一性の不足という類似した問題が存在する可能性があることも認識している。
【００１３】
本発明によって認識される別の問題は、ユーザがＩＭＳをサポートするカバー範囲下にあるとき、ＩＭＳアプリケーションのサポートに使用されるデータが現在は、ＨＬＲ機能内に記憶されていてＩＭＳに固有でない一部の加入関連のデータを、そのようなデータはそのようなサポートには有利に使用されることができるのに、考慮に入れないことである。
【００１４】
本発明は、特に、上述の問題の一部または全部を解決することができる、または上述の欠点の一部または全部を回避することができる。より一般的には、本発明は、そのようなネットワーク内のサービスの品質を改善することができる。
【課題を解決するための手段】
【００１５】
これらおよび他の目的は、本発明の１つの態様で、移動体通信ネットワーク・エンティティの第１のネットワーク・エンティティと称されるネットワーク・エンティティをサポートするための第１の加入データと称される加入データを記憶する、前記移動体通信ネットワークの第１のデータベース・エンティティと称されるデータベース・エンティティに記憶された加入データにアクセスする方法によって達成され、前記方法は、
−  前記移動体通信ネットワークの第２のネットワーク・エンティティと称されるネットワーク・エンティティをサポートするための第２の加入データと称される加入データを記憶する、前記移動体通信ネットワークの第２のデータベース・エンティティと称されるデータベース・エンティティが、前記第１の加入データの少なくとも一部にアクセスするために前記第１のデータベース・エンティティと通信するステップと、
−  アプリケーション・サーバが前記第２のデータベース・エンティティを介して前記第１の加入データの少なくとも一部にアクセスするために前記第２のデータベース・エンティティと通信するステップと
を有する。
【００１６】
これらおよび他の目的は、本発明の別の態様で、移動体通信ネットワークのためのアプリケーション・サーバによって達成され、前記アプリケーション・サーバは、
−  前記移動体通信ネットワークの第１のエンティティと称されるエンティティをサポートするための第１の加入データと称される加入データを記憶する第１のデータベース・エンティティと称されるデータベース・エンティティに記憶された第１の加入データと称される加入データの少なくとも一部に第２のデータベース・エンティティを介してアクセスするために、前記移動体通信ネットワークの第２のエンティティと称されるエンティティをサポートするための第２の加入データと称される加入データを記憶する、前記第２のデータベース・エンティティと称されるデータベース・エンティティと通信する手段
を有する。
【００１７】
これらおよび他の目的は、本発明の別の態様で、移動体通信ネットワークの第２のネットワーク・エンティティと称されるネットワーク・エンティティをサポートするための第２の加入データと称される加入データを記憶する、第２のデータベース・エンティティと称されるデータベース・エンティティによって達成され、前記第２のデータベース・エンティティは、
−  第１の加入データの少なくとも一部にアクセスするために、前記移動体通信ネットワークの第１のネットワーク・エンティティと称されるネットワーク・エンティティをサポートするための前記第１の加入データと称される加入データを記憶する、第１のデータベース・エンティティと称されるデータベース・エンティティと通信する手段と、
−  前記第２のデータベース・エンティティを介して前記第１の加入データの少なくとも一部にアクセスするためにアプリケーション・サーバと通信する手段と
を有する。
【００１８】
これらおよび他の目的は、本発明の別の態様で、移動体通信ネットワークの第１のネットワーク・エンティティと称されるネットワーク・エンティティをサポートするための第１の加入データと称される加入データを記憶する、第１のデータベース・エンティティと称されるデータベース・エンティティによって達成され、前記第１のデータベース・エンティティは、
−  前記第１の加入データの少なくとも一部にアクセスするために、前記移動体通信ネットワークの第２のネットワーク・エンティティと称されるネットワーク・エンティティをサポートするための第２の加入データと称される加入データを記憶する、第２のデータベース・エンティティと称されるデータベース・エンティティと通信する手段
を有する。
【００１９】
本発明のこれらおよび他の目的は、添付の図面と共に以下の説明を考察することにより、より明らかとなろう。
【００２０】
本発明は、レガシーＣＳ呼制御とＩＭＳ音声アプリケーションとの間の統一性を保証するために、本発明の応用例を検討する例示の目的で次のように詳しく説明することもできる。本発明は、そのような応用例に限定されないことが理解されている。
【発明を実施するための最良の形態】
【００２１】
本発明をこの応用例でより詳しく説明する前に、「Ｓｈ」インターフェース（すなわち、ＡＳとＨＳＳとの間のインターフェース）を介するデータ交換のいくつかのフィーチャーが想起される。より詳しくは、特に３ＧＰＰ  ＴＳ  ２３．００２および３ＧＰＰ  ＴＳ  ２９．３２８に記載されている。
【００２２】
ＨＳＳによって保持されるデータは以下を含むことが想起される。
−  透過データ：これらのデータは、ＨＳＳによって構文的には理解されるが、意味的には理解されないデータである。これは、そのサービス・ロジックをサポートするためにＡＳがＨＳＳに記憶できるデータである。１つの例は、ＨＳＳをリポジトリとして使用して、ＡＳがＨＳＳに記憶するデータである。
−  非透過データ：これらは、ＨＳＳによって構文的にも意味的にも理解されるデータである。
【００２３】
ＨＳＳとＡＳとの間の「Ｓｈ」インターフェース上の動作には、次のようなものがあることが想起される。
−  データ処理プロシージャ
−  加入／通知プロシージャ
データ処理プロシージャには、次のようなものがあることが想起される。
−  データ読取りプロシージャ（またはＨＳＳからＡＳへのデータのダウンロードを可能するプロシージャ）：このプロシージャはＡＳによって起動され、指定されたユーザ用の透過および／または非透過データをＨＳＳから読み取るために使用される。このプロシージャは、３ＧＰＰ  ＴＳ  ２９．３２９に明記されたＤｉａｍｅｔｅｒプロトコルのコマンドＵｓｅｒ−Ｄａｔａ−Ｒｅｑｕｅｓｔ／Ａｎｓｗｅｒ（ユーザ・データ要求／回答）にマッピングされる。
−  データ更新プロシージャ（またはＡＳによるＨＳＳ内のデータの更新を可能するプロシージャであって、データの更新とはデータの追加、データの変更およびデータの除去を含む）：このプロシージャはＡＳによって起動され、ＡＳが、指定された各ＩＭＳ公共ユーザ識別情報または公共サービス識別情報用のＨＳＳに記憶されている透過（リポジトリ）データを更新できるようにするために使用される。このプロシージャは、３ＧＰＰ  ＴＳ  ２９．３２９に明記されたＤｉａｍｅｔｅｒプロトコルのコマンドＰｒｏｆｉｌｅ−Ｕｐｄａｔｅ−Ｒｅｑｕｅｓｔ／Ａｎｓｗｅｒ（プロファイル更新要求／回答）にマッピングされる。
【００２４】
加入／通知プロシージャには、次のようなものがあることが想起される。
−  ＡＳがＨＳＳからデータの変更の通知を受け取るように加入できるようにするプロシージャ。
−  ＡＳが前に加入したデータの変更をＨＳＳがＡＳに通知できるようにするプロシージャ。
【００２５】
３ＧＰＰ仕様は明示的にＨＳＳデータをＨＳＳのＨＬＲ機能に関連したデータとＨＳＳのＩＭＳ機能に関連したデータに分割しないが、説明を簡略化するために、用語ＨＬＲデータは、これ以降、ＨＳＳのＨＬＲ機能に関連した加入データを識別するために使用され、用語ＩＭＳデータは、これ以降、ＨＳＳのＩＭＳ機能に関連した加入データを識別するために使用される。
【００２６】
本発明の様々な態様の１つにおいて、本発明は、特に音声サービスなどのレガシー２Ｇ／３Ｇ  ＣＳサービスに対して２ＧおよびＥＭＳ環境で同じタイプのＣＳ呼制御サービスを定義するように提案する。このようにすると、特に上述の問題を解決できる、すなわち、上述の音声呼サービスの統一性を確保することができる。
【００２７】
しかし、２Ｇ／３ＧおよびＩＭＳ環境における同じタイプのＣＳ呼制御サービスのそのような定義に関するさらなる問題は、現在は、「Ｓｈ」インターフェースに定義された動作がアプリケーション・サーバ（ＡＳ）にＣＳ呼制御に固有のＨＬＲデータにアクセスすることを許可しないことである。
【００２８】
実際には、「Ｓｈ」インターフェースを介してダウンロードされたデータの情報モデルを示した（３ＧＰＰ  ＴＳ  ２９．３２８から取り出された）図２で想起されているように、ロケーション関連のデータ（例えば、ＰＳロケーション情報、ＣＳロケーション情報に定義されたフィールド）のみが「Ｓｈ」インターフェースを介してアクセスされることができる。言い換えれば、現在、「Ｓｈ」インターフェースは、ＡＳがＨＬＲ  ＣＳ呼制御関連のデータにアクセスすることを許可していない。現在、「Ｓｈ」インターフェースがＡＳにアクセスすることを許可するサービス関連のデータは、ＩＭＳサービス関連のデータのみである。
【００２９】
本発明の様々な態様の別な１つにおいて、本発明は、アプリケーション・サーバがＨＬＲデータのリポジトリとしてＨＳＳを使用することを提案する。このようにすると、特に上述のさらなる問題を解決することができる。
【００３０】
言い換えると、本発明は、リポジトリ・データは、ＡＳによってのみ解釈され、ＨＳＳに透過データとして記憶される任意のデータを含むことができるという事実を利用している（リポジトリ・データは、各専用ＩＭＳアプリケーション用の固有のデータを含む）。本発明は、ＨＬＲデータが「Ｓｈ」インターフェースを介して透過リポジトリ・データとしてアクセスされる（読み取られる、および／または更新される）ことを提案する。
【００３１】
本発明の様々な態様のさらに別な１つにおいて、本発明は、透過リポジトリ上のＨＬＲデータをＩＭＳ音声アプリケーションに関連したＩＭＳデータにマッピングすることを提案する。
【００３２】
そのようなマッピングは、例えば、ＨＬＲデータの構文規則をＩＭＳ音声呼アプリケーション・データの構文規則に変換することを含むことができる。ＩＭＳデータの構文規則の説明は、「Ｓｈ」インターフェース・ユーザ・プロファイル用のＸＭＬ（「拡張可能マークアップ言語」）スキーマを説明する３ＧＰＰ  ＴＳ  ２９．３２８付録Ｄに記載されている。ＨＬＲデータの構文規則の例の説明は、Ｍｏｂｉｌｅ  Ａｐｐｌｉｃａｔｉｏｎ  Ｐａｒｔ（ＭＡＰ）プロトコルを明記する３ＧＰＰ  ＴＳ  ２９．００２、特に、ＭＳＣ／ＶＬＲがＨＬＲから一部の補足サービス・パラメータを受信できるようにするために使用される機構体の説明に記載されている。３ＧＰＰ技術仕様で明記されない構文規則のＨＬＲデータの場合、そのような構文規則は、実施態様に応じて定義することができる。
【００３３】
本発明の様々な態様の別の１つにおいて、本発明は、ＣＳ環境およびＩＭＳ環境の両方で同じタイプのＣＳ呼制御サービスが提供されている場合、このタイプのサービスが２つのデータベース・エンティティ、すなわち、レガシー・サービス加入関連のデータの保持を担当するＨＬＲまたはデータベース・エンティティおよびＩＭＳサービス加入関連のデータの保持を担当するＨＳＳまたはデータベース・エンティティを「同期化させる」ことが重要であることを認識している。用語「同期化させる」とは、両方のエンティティに記憶されている検討すべきデータは統一されていなければならないこと、特に前記データの変更は両方のエンティティで考慮されなければならないという意味と理解される。
【００３４】
これにより、特に以下の結果が生ずる。
−  ＨＬＲ  ＣＳ呼制御データが、ＩＭＳ音声アプリケーション・サーバによって、完全に標準化された方法で「Ｓｈ」インターフェースを介して読み取られて、および／または更新されることができる。
−  ＩＭＳ音声アプリケーション・サーバがＨＬＲ加入者ＣＳ呼制御データの変更によって通知されることができる。
本発明のいくつかの応用例は次のとおりである。
−  呼転送データを統一した方法で管理する。
−  ＣＡＭＥＬ  ＩＮサービス・データおよびＩＭＳサービス・データを統一した方法で管理する。
【００３５】
本発明の様々な態様の１つにおいて、本発明は、移動体通信ネットワーク・エンティティの第１のネットワーク・エンティティと称されるネットワーク・エンティティをサポートするための第１の加入データと称される加入データを記憶する、前記移動体通信ネットワークの第１のデータベース・エンティティと称されるデータベース・エンティティに記憶された加入データにアクセスする方法を提案し、前記方法は、
−  前記移動体通信ネットワークの第２のネットワーク・エンティティと称される前記ネットワーク・エンティティをサポートするための第２の加入データと称される加入データを記憶する、前記移動体通信ネットワークの第２のデータベース・エンティティと称されるデータベース・エンティティが、前記第１の加入データの少なくとも一部にアクセスするために前記第１のデータベース・エンティティと通信するステップと、
−  アプリケーション・サーバが前記第２のデータベース・エンティティを介して前記第１の加入データの少なくとも一部にアクセスするために前記第２のデータベース・エンティティと通信するステップと
を有する。
【００３６】
１つの例では、
−  前記第１のネットワーク・エンティティはＣＳドメイン・エンティティに対応し、
−  前記第２のネットワーク・エンティティはＩＭＳサブシステム・エンティティに対応し、
−  前記第１のデータベース・エンティティは、ＣＳドメインによって必要とされるＨＳＳのＨＬＲ機能のサブセットに対応し、
−  前記第２のデータベース・エンティティは、ホーム加入者サーバのＩＭＳ音声アプリケーション・データ・セット・レポジトリに対応し、
−  前記アプリケーション・サーバはＩＭＳ音声アプリケーション・サーバに対応する。
【００３７】
有利なことには、この例では、前記第１の加入データの少なくとも一部は、呼制御サービス加入データを含み、前記アプリケーション・サーバは、前記呼制御サービス加入データに基づいて前記ＩＭＳサブシステム内の同等のＣＳサービスをサポートするために前記第２のデータベース・エンティティと通信する。
別の例では、
−  前記第１のネットワーク・エンティティはＰＳドメイン・エンティティに対応し、
−  前記第２のネットワーク・エンティティはＩＭＳサブシステム・エンティティに対応し、
−  前記第１のデータベース・エンティティは、ＰＳドメインによって必要とされるＨＳＳのＨＬＲ機能のサブセットに対応し、
−  前記第２のデータベース・エンティティは、ＨＳＳのＩＭＳ専用アプリケーション・データ・セット・リポジトリに対応し、
−  前記専用ＩＭＳアプリケーション・サーバは、上述のＨＬＲ機能のサブセットを使用する必要がある。
【００３８】
有利なことには、この例では、前記第１の加入データの少なくとも一部は、セッション管理サービス加入データの少なくとも一部を含み、前記アプリケーション・サーバは、セッション管理サービス加入データを使用する必要があるＩＭＳサブシステム内の専用ＩＭＳアプリケーションをサポートするために前記第２のデータベース・エンティティと通信する。
別の例では、
−  前記第１のネットワーク・エンティティは、無線アクセス技術（例えば、ＷＬＡＮなど）と相互作用するために必要なネットワーク・エンティティに対応し、
−  前記第２のネットワーク・エンティティはＩＭＳサブシステム・エンティティに対応し、
−  前記第１のデータベース・エンティティは、無線アクセス技術と相互作用するために必要なＨＳＳのＨＬＲ機能のサブセットに対応し、
−  前記第２のデータベース・エンティティは、ＨＳＳのＩＭＳ専用アプリケーション・データ・セット・リポジトリに対応し、
−  前記専用アプリケーション・サーバはＩＭＳアプリケーション・サーバに対応する。
【００３９】
この例では、本発明の別の応用例において、前記第１の加入データの少なくとも一部は、相互作用するサービス加入データの少なくとも一部を含み、前記専用ＩＭＳアプリケーション・サーバは、前記相互作用するサービス加入データを有利に再使用するために前記第２のデータベース・エンティティと通信する。
【００４０】
本発明のより一般的な応用例では、前記第１の加入データの少なくとも一部は、ＩＭＳアプリケーションがそのデータを必要としたときに、ＨＳＳ内の各ＩＭＳアプリケーション・データ・セット・リポジトリ内に再投入しないことに関心のある加入データを含む。
【００４１】
前記第２の加入データ内に再投入しないことに関心のある加入データを含む、前記第１の加入データの前記少なくとも一部の例には、次のようなものがある。
−  ローミング協定（許可されたＰＬＭＮ）、またはバーリング情報（Ｂａｒｒｉｎｇ情報）、閉ユーザ・グループ情報などの加入者ごとの永続的もしくは一時的記憶データのようなグローバル構成情報
−  ＰＳドメインによって必要とされ、所与のサービスを提供するために必要なＱｏＳに加入者が加入したかを知ることができる、ＨＳＳのＨＬＲ機能のサブセットに記憶されたＱｏＳデータ
−  等々
【００４２】
本発明の別の態様において、前記第２のデータベース・エンティティは、前記第１のデータベース・エンティティに記憶されている前記第１の加入データの少なくとも一部と統一されている前記第１の加入データの少なくとも一部が前記第２のデータベース・エンティティに確実に記憶されるようにするために、前記第１のデータベース・エンティティと通信する。
有利なことには、前記第１の加入データの少なくとも一部は、前記第２のデータベース・エンティティに透過なデータに対応する。
有利なことには、前記アプリケーション・サーバは、前記加入データの前記少なくとも一部のためのリポジトリとして前記第２のデータベース・エンティティを使用する。
有利なことには、前記方法は、前記第１の加入データの前記少なくとも一部を前記第２の加入データにマッピングするステップを有する。
【００４３】
特に、このマッピングによって、レガシー・サービス・アプリケーション・サーバは、ＴＳ  ２９．３２８および２９．３２９で説明されている非透過データを使用して、３ＧＰＰ標準化Ｓｈインターフェースを介してＨＬＲ呼および／またはセッション制御データを読み取る／変更することができる。
特に、
−  前記第２のデータベース・エンティティと前記アプリケーション・サーバとの間の通信の前記ステップは、前記第２のデータベース・エンティティと前記アプリケーション・サーバとの間のインターフェース上でデータ処理プロシージャを使用するステップを有することができる。
特に、
−  前記データ処理プロシージャは、前記アプリケーション・サーバが前記第２のデータベース・エンティティからデータをダウンロードできるようにするデータ読取りプロシージャを含むことができる。
特に、
−  前記データ処理プロシージャは、前記アプリケーション・サーバが前記第２のデータベース・エンティティ内のデータを更新できるようにするデータ更新プロシージャを含むことができる。
特に、前記データの更新は、データの追加、データの変更およびデータの除去を有するグループのうちの少なくとも１つの動作を有することができる。
特に、
−  前記第２のデータベース・エンティティと前記アプリケーション・サーバとの間の通信の前記ステップは、前記第２のデータベース・エンティティと前記アプリケーション・サーバとの間のインターフェース上で加入／通知プロシージャを使用するステップを含むことができる。
【００４４】
図３および図４で示された例において、
−  前記第１のデータベース・エンティティ（ＨＬＲと記載）はＨＳＳのＨＬＲ機能に対応し、
−  前記第２のデータベース・エンティティ（ＨＳＳと記載）はホーム加入者サーバのＩＭＳ機能に対応し、
−  前記アプリケーション・サーバ（ＡＳと記載）はＩＭＳアプリケーション・サーバに対応する。
【００４５】
図３および図４で示された例において、ＡＳとＨＳＳとの間の前記通信は、ＡＳとＨＳＳとの間のＳｈインターフェース上でデータ処理プロシージャを使用する。
図３で示された例において、
−  ステップ１０で、ＡＳがデータ読取りコマンド（メッセージ「Ｓｈ−ｐｕｌｌ」）をＨＳＳに送信し、
−  ステップ１１で、ＡＳからの前記データ読取りコマンドが受信されると、ＨＳＳがデータ読取りコマンドをＨＬＲに送信し、
−  ステップ１２で、ＨＳＳからの前記データ読取りコマンドが受信されると、ＨＬＲがＨＬＲデータをＨＳＳに送信し、
−  ステップ１３で、ＨＳＳが前記ＨＬＲデータをＩＭＳデータにマッピングし、
−  ステップ１４で、ＨＳＳが、ＩＭＳデータにマッピングされたＨＬＲデータをＡＳに送信する（メッセージ「Ｓｈ−ｐｕｌｌ  Ｒｅｓｐ」）。
【００４６】
図４に示された例において、
−  ステップ２０で、ＡＳがデータ更新コマンド（メッセージ「Ｓｈ−Ｕｐｄａｔｅ」）をＨＳＳに送信し、
−  ステップ２１で、ＡＳからの前記データ更新コマンドが受信されると、ＨＳＳがＩＭＳデータをＨＬＲデータにマッピングし、
−  ステップ２２で、ＨＳＳが、ＨＬＲデータにマッピングされたＩＭＳデータをＨＬＲに送信し、
−  ステップ２３で、ＨＬＲがデータ更新応答をＨＳＳに送信し、
−  ステップ２４で、ＨＳＳがデータ更新応答（メッセージ「Ｓｈ−Ｕｐｄａｔｅ  Ｒｅｓｐ」）をＡＳに送信する。
【００４７】
図３に示された例において、ステップ１０および１４は、ＡＳがＨＳＳからデータをダウンロードできるようにする、データ読取りプロシージャのステップに対応する。
【００４８】
図４に示された例において、ステップ２０および２４は、ＡＳがＨＳＳ内のデータを更新できるようにするデータ更新プロシージャのステップに対応する。
【００４９】
図３および図４に示された例において、ＡＳとＨＳＳとの間の前記通信は、ＡＳとＨＳＳとの間のＳｈインターフェース上で加入／通知プロシージャを使用する。
【００５０】
図５に示された例において、
−  ステップ３０で、ＡＳが通知加入コマンド（またはメッセージＳｈ−Ｓｕｂｓ＿Ｎｏｔｉｆ）をＨＳＳに送信し、
−  ステップ３１で、ＨＳＳが対応するコマンドをＨＬＲに送信し、
−  ステップ３２で、ＨＬＲがＨＳＳに、ＡＳが加入した変更を通知し、
−  ステップ３３で、ＨＳＳがＨＬＲデータをＩＭＳデータにマッピングし、
−  ステップ３４で、ＨＳＳがＡＳに、ＡＳが加入した変更を通知する（またはメッセージＳｈ−Ｎｏｔｉｆ）。
【００５１】
図５に示された例において、ステップ３０、３４は、ＨＳＳとＡＳとの間のＳｈインターフェース上の加入／通知プロシージャのステップに対応する。
【００５２】
ＨＬＲおよびＨＳＳが同じ物理エンティティに置かれている場合、ＨＬＲとＨＳＳとの間の通信（例えば、図３のステップ１１、１２、図４のステップ２２、２３、または図５のステップ３１、３２に示されているような通信）は、前記物理エンティティの内部で行うことができる。ＨＬＲおよびＨＳＳが同じ物理エンティティに置かれていない場合、別個のエンティティが通信できるようにする通常の原則に従って、前記通信を可能するためのいくつかのプロシージャが定義されてよい。
【００５３】
本発明は、その目的のために移動体通信ネットワークのためのアプリケーション・サーバも有し、前記アプリケーション・サーバは、
−  前記移動体通信ネットワークの第１のエンティティと称されるエンティティをサポートするための第１の加入データと称される加入データを記憶する第１のデータベース・エンティティと称されるデータベース・エンティティに記憶された第１の加入データと称される加入データの少なくとも一部に第２のデータベース・エンティティを介してアクセスするために、前記移動体通信ネットワークの第２のエンティティと称されるエンティティをサポートするための第２の加入データと称される加入データを記憶する前記第２のデータベース・エンティティと称されるデータベース・エンティティと通信する手段
を有する。
【００５４】
本発明は、その目的のために移動体通信ネットワークの第２のネットワーク・エンティティと称されるネットワーク・エンティティをサポートするための第２の加入データと称される加入データを記憶する、第２のデータベース・エンティティと称されるデータベース・エンティティも有し、前記第２のデータベース・エンティティは、
−  第１の加入データの少なくとも一部にアクセスするために、前記移動体通信ネットワークの第１のネットワーク・エンティティと称されるネットワーク・エンティティをサポートするための前記第１の加入データと称される加入データを記憶する、第１のデータベース・エンティティと称されるデータベース・エンティティと通信する手段と、
−  前記第２のデータベース・エンティティを介して前記第１の加入データの少なくとも一部にアクセスするためにアプリケーション・サーバと通信する手段と
を有する。
【００５５】
本発明は、その目的のために、移動体通信ネットワークの第１のネットワーク・エンティティと称されるネットワーク・エンティティをサポートするための第１の加入データと称される加入データを記憶する、第１のデータベース・エンティティと称されるデータベース・エンティティも有し、前記第１のデータベース・エンティティは、
−  前記第１の加入データの少なくとも一部にアクセスするために、前記移動体通信ネットワークの第２のネットワーク・エンティティと称されるネットワーク・エンティティをサポートするための第２の加入データと称される加入データを記憶する、第２のデータベース・エンティティと称されるデータベース・エンティティと通信する手段
を有する。
【００５６】
上述の手段の詳細な実施態様は当業者に特別な問題を提起せず、したがって、そのような手段は、機能別に、ここまでの説明以上に詳しく当業者に開示される必要はない。
【図面の簡単な説明】
【００５７】
【図１】ＨＳＳの種々の機能とコア・ネットワークの種々のドメインおよびサブシステムの種々のエンティティとの間の通信用のインターフェースを想起するように意図された図である。
【図２】ＨＳＳとＡＳとの間の「Ｓｈ」インターフェースを介してダウンロードされるデータの情報モデルを想起するように意図された図である。
【図３】本発明による方法の種々の例を示すように意図された図である。
【図４】本発明による方法の種々の例を示すように意図された図である。
【図５】本発明による方法の種々の例を示すように意図された図である。
【図１】
2009519648.tif 000003
【図２】
2009519648.tif 000004
【図３】
2009519648.tif 000005
【図４】
2009519648.tif 000006
【図５】
2009519648.tif 000007
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
移動体通信ネットワーク・エンティティの第１のネットワーク・エンティティと称されるネットワーク・エンティティをサポートするための第１の加入データと称される加入データを記憶する、前記移動体通信ネットワークの第１のデータベース・エンティティと称されるデータベース・エンティティに記憶された加入データにアクセスする方法であって、
前記移動体通信ネットワークの第２のネットワーク・エンティティと称されるネットワーク・エンティティをサポートするための第２の加入データと称される加入データを記憶する、前記移動体通信ネットワークの第２のデータベース・エンティティと称されるデータベース・エンティティが、前記第１の加入データの少なくとも一部にアクセスするために前記第１のデータベース・エンティティと通信するステップと、
アプリケーション・サーバが前記第２のデータベース・エンティティを介して前記第１の加入データの少なくとも一部にアクセスするために前記第２のデータベース・エンティティと通信するステップと
を有する方法。
【請求項２】
前記第１のネットワーク・エンティティはＣＳドメイン・エンティティに対応し、
前記第２のネットワーク・エンティティはＩＭＳサブシステム・エンティティに対応し、
前記第１のデータベース・エンティティは、ＣＳドメインによって必要とされるＨＳＳのＨＬＲ機能のサブセットに対応し、
前記第２のデータベース・エンティティは、ホーム加入者サーバのＩＭＳ機能に対応し、
前記アプリケーション・サーバはＩＭＳアプリケーション・サーバに対応する、
請求項１に記載の方法。
【請求項３】
前記第１のネットワーク・エンティティはＰＳドメイン・エンティティに対応し、
前記第２のネットワーク・エンティティはＩＭＳサブシステム・エンティティに対応し、
前記第１のデータベース・エンティティは、ＰＳドメインによって必要とされるＨＳＳのＨＬＲ機能のサブセットに対応し、
前記第２のデータベース・エンティティはＨＳＳのＩＭＳ機能に対応し、
前記アプリケーション・サーバはＩＭＳアプリケーション・サーバに対応する、
請求項１に記載の方法。
【請求項４】
前記第１のネットワーク・エンティティは、無線アクセス技術と相互作用するために必要なネットワーク・エンティティに対応し、
前記第２のネットワーク・エンティティはＩＭＳサブシステム・エンティティに対応し、
前記第１のデータベース・エンティティは、無線アクセス技術と相互作用するために必要な、ＨＳＳのＨＬＲ機能のサブセットに対応し、
前記第２のデータベース・エンティティはＨＳＳのＩＭＳ機能に対応し、
前記アプリケーション・サーバはＩＭＳアプリケーション・サーバに対応する、
請求項１に記載の方法。
【請求項５】
前記第１の加入データの少なくとも一部が呼制御サービス加入データを含み、前記アプリケーション・サーバが、前記呼制御サービス加入データに基づいて前記ＩＭＳサブシステム内の同等のＣＳサービスをサポートするために前記第２のデータベース・エンティティと通信する、請求項２に記載の方法。
【請求項６】
前記第１の加入データの少なくとも一部がセッション管理サービス加入データの少なくとも一部を含み、前記アプリケーション・サーバが、前記セッション管理サービス加入データに基づいて前記ＩＭＳサブシステム内の専用サービスをサポートするために前記第２のデータベース・エンティティと通信する、請求項３に記載の方法。
【請求項７】
前記第１の加入データの少なくとも一部が、相互作用するサービス加入データの少なくとも一部を含み、前記アプリケーション・サーバは、前記相互作用するサービス加入データに基づいて前記ＩＭＳサブシステム内の専用サービスをサポートするために前記第２のデータベース・エンティティと通信する、請求項４に記載の方法。
【請求項８】
前記第１の加入データの少なくとも一部が、前記第２の加入データ内に個別に再投入しないことに関心のある加入データを含み、前記アプリケーション・サーバが、前記第２の加入データ内に個別に再投入しないことに関心のある前記第１の加入データの少なくとも一部を含む加入データに基づいてＩＭＳサービスをサポートするために前記第２のデータベース・エンティティと通信する、請求項１に記載の方法。
【請求項９】
前記第２のデータベース・エンティティが、前記第１のデータベース・エンティティに記憶されている前記第１の加入データの少なくとも一部と統一されている前記第１の加入データの少なくとも一部が前記第２のデータベース・エンティティに確実に記憶されるようにするために、前記第１のデータベース・エンティティと通信する、請求項１に記載の方法。
【請求項１０】
前記第１の加入データの少なくとも一部が、前記第２のデータベース・エンティティに透過なデータに対応する、請求項１に記載の方法。
【請求項１１】
前記アプリケーション・サーバが、前記加入データの前記少なくとも一部のためのリポジトリとして前記第２のデータベース・エンティティを使用する、請求項１に記載の方法。
【請求項１２】
前記第１の加入データの前記少なくとも一部を前記第２の加入データにマッピングするステップを有する、請求項１に記載の方法。
【請求項１３】
前記第２のデータベース・エンティティと前記アプリケーション・サーバとの間の通信の前記ステップが、前記第２のデータベース・エンティティと前記アプリケーション・サーバとの間のインターフェース上でデータ処理プロシージャを使用するステップを含む、
請求項１に記載の方法。
【請求項１４】
前記データ処理プロシージャが、前記アプリケーション・サーバが前記第２のデータベース・エンティティからデータをダウンロードできるようにするデータ読取りプロシージャを含む、
請求項１３に記載の方法。
【請求項１５】
前記データ処理プロシージャが、前記アプリケーション・サーバが前記第２のデータベース・エンティティ内のデータを更新できるようにするデータ更新プロシージャを含む、
請求項１３に記載の方法。
【請求項１６】
前記データの更新が、データの追加、データの変更およびデータの除去を有するグループのうちの少なくとも１つの動作を有する、
請求項１５に記載の方法。
【請求項１７】
前記第２のデータベース・エンティティと前記アプリケーション・サーバとの間の通信の前記ステップが、前記第２のデータベース・エンティティと前記アプリケーション・サーバとの間のインターフェース上で加入／通知プロシージャを使用するステップを含む、
請求項１に記載の方法。
【請求項１８】
移動体通信ネットワークの第１のエンティティと称されるエンティティをサポートするための第１の加入データと称される加入データを記憶する第１のデータベース・エンティティと称されるデータベース・エンティティに記憶された第１の加入データと称される加入データの少なくとも一部に第２のデータベース・エンティティを介してアクセスするために、前記移動体通信ネットワークの第２のエンティティと称されるエンティティをサポートするための第２の加入データと称される加入データを記憶する、前記第２のデータベース・エンティティと称されるデータベース・エンティティと通信する手段
を有する前記移動体通信ネットワークのためのアプリケーション・サーバ。
【請求項１９】
移動体通信ネットワークの第２のネットワーク・エンティティと称されるネットワーク・エンティティをサポートするための第２の加入データと称される加入データを記憶する、第２のデータベース・エンティティと称されるデータベース・エンティティであって、
第１の加入データの少なくとも一部にアクセスするために、前記移動体通信ネットワークの第１のネットワーク・エンティティと称されるネットワーク・エンティティをサポートするための前記第１の加入データと称される加入データを記憶する、第１のデータベース・エンティティと称されるデータベース・エンティティと通信する手段と、
前記第２のデータベース・エンティティを介して前記第１の加入データの前記少なくとも一部にアクセスするためにアプリケーション・サーバと通信する手段と
を有する第２のデータベース・エンティティ。
【請求項２０】
移動体通信ネットワークの第１のネットワーク・エンティティと称されるネットワーク・エンティティをサポートするための第１の加入データと称される加入データを記憶する第１のデータベース・エンティティと称されるデータベース・エンティティであって、
前記第１の加入データの少なくとも一部にアクセスするために、前記移動体通信ネットワークの第２のネットワーク・エンティティと称されるネットワーク・エンティティをサポートするための第２の加入データと称される加入データを記憶する、第２のデータベース・エンティティと称されるデータベース・エンティティと通信する手段
を有する第１のデータベース・エンティティ。
【国際調査報告】
2009519648.tif 000008
2009519648.tif 000009
2009519648.tif 000010